(57)【要約】  【課題】実用性及び既存の多極プラグとの互換性を確保しながら極数を増加させた多極プラグ及び多極ジャックを提供することを目的とする。  【解決手段】本実施形態に係る５極プラグは、導電性金属からなる第１乃至第５電極（１１ａ〜１１ｅ）と、各電極（１１）間を絶縁するための絶縁体からなる絶縁カラー（１２ａ〜１２ｄ）とから構成されている。第５電極（１１ｅ）は、他の電極（１１ａ〜１１ｄ）と比較して、芯棒部（１４）での外径が太くなっている。５極ジャック（２０）は、合成樹脂からなる絶縁性の筐体（２１）と、第１〜第５導電端子（２３ａ〜２３ｅ）と、スイッチ用端子（２４ａ，２４ｂ）と、第４導電端子（２３ｄ）に取り付けられてジャックの入口である開口部分に位置する進退部材（ストッパー）（２５）と、を備えている。進退部材（２５）は、筐体（２１）の開口に突出するように付勢されており、突出したときに当該開口の直径を細く規制する。
2009072166.tif 000002
【特許請求の範囲】
【請求項１】
互いに絶縁された複数の電極が順次表面に露出する芯棒部を有する多極プラグにおいて、
前記芯棒部における最も根元側の電極が、他の電極の直径よりも大きい直径を有する大径電極であることを特徴とする多極プラグ。
【請求項２】
互いに径の異なる前記大径電極の先端側に隣接する電極の外周面と、前記大径電極の外周面とが、案内用テーパ部によってつながっていることを特徴とする請求項１記載の多極プラグ。
【請求項３】
互いに絶縁された複数の電極が順次表面に露出する芯棒部を有する多極プラグと接続される多極ジャックにおいて、
前記多極プラグの芯棒部が収容されるプラグ収容空間と、前記プラグ収容空間への入口である開口を形成する筐体と、
前記多極プラグとの接続時に、前記電極とそれぞれ導電接触するように前記プラグ収容空間に面して設置された複数の導電端子と、
前記筐体の開口に突出することで当該開口の直径を細く規制するための進退部材と、を備えたことを特徴とする多極ジャック。
【請求項４】
前記進退部材は、前記突出した位置と、当該突出した位置から後退した位置との間を移動自在に構成されていることを特徴とする請求項３記載の多極ジャック。
【請求項５】
前記進退部材は、前記筐体の開口に突出するように付勢されており、前記開口から挿入される前記多極プラグの芯棒部に押圧されることで後退可能なように構成されていることを特徴とする請求項４記載の多極ジャック。
【発明の詳細な説明】
【技術分野】
【０００１】
本発明は、導電接続を行う電気コネクタとしてのジャック及びプラグに関し、特に多極ジャック及び多極プラグに関する。
【背景技術】
【０００２】
例えば、携帯用音楽プレイヤーに用いられるプラグとしては、従来から、３，４極の多極プラグが多数提供されている。ところが、近年の携帯用音楽プレイヤーは多様な機能を具備しており、多機能のリモートコントロール機能を具備させる必要性等により、さらなる極数の増加が望まれていた。【０００３】
このような要望に応じるため、下記特許文献１乃至４には、５極以上の多極プラグ及び多極ジャックが開示されている。
【特許文献１】実用新案登録第２５４５７４７号公報
【特許文献２】登録実用新案第３０７８６１９号公報
【特許文献３】特許第３５６９６５８号公報
【特許文献４】特開２００２−１３４２３７号公報
【０００４】
上記特許文献１乃至４に開示されている多極プラグは、ピンの軸方向表面を細分化して電極を増やしたり、ピンの先端に電極を設けたり、ピンの根本部分周囲に設けた筒状部（プラグカバー）の内外側面に電極を設けたりすることで、多極化を図っている。
【発明の開示】
【発明が解決しようとする課題】
【０００５】
ところが、ピンの軸方向を細分化して極数を増やす方法では、極数を増やすにつれて絶縁カラーや電極の肉厚が薄くなってしまい製造が困難になってしまう。また、芯棒の中心電極（チップ）も細くなってしまうためプラグの強度も確保できなくなってしまう。特に、2.5φのプラグの場合には、もともとピン（芯棒）部分が細いため、実用性を確保しつつ芯棒部分を５極化することは困難であった。【０００６】
また、ピンの根元部分のプラグカバーを電極とする場合には、社団法人電子情報技術産業協会の規格で定められた既存の２極プラグ及び３極プラグとは異なる形状の多極プラグとなってしまう。このようなプラグカバー電極を有する多極プラグと組み合わせて使用される多極ジャックは、既存の規格で定められた多極プラグと接続できないケースも多く、独自の構造の多極プラグ及び多極ジャックでは、既存の多極プラグとの互換性の問題が生じている。【０００７】
本発明は、このような課題を解決するためになされたものであり、実用性及び既存の多極プラグとの互換性を確保しながら極数を増加させた多極プラグ及び多極ジャックを提供することを目的とする
【課題を解決するための手段】
【０００８】
上記課題を解決するために、本発明に係る多極プラグは、互いに絶縁された複数の電極が順次表面に露出する芯棒部を有する多極プラグにおいて、前記芯棒部における最も根元側の電極が、他の電極の直径よりも大きい直径を有する大径電極であることを特徴とする。【０００９】
また、本発明に係る多極ジャックは、互いに絶縁された複数の電極が順次表面に露出する芯棒部を有する多極プラグと接続される多極ジャックにおいて、前記多極プラグの芯棒部が収容されるプラグ収容空間と、前記プラグ収容空間への入口である開口を形成する筐体と、前記多極プラグとの接続時に、前記電極とそれぞれ導電接触するように前記プラグ収容空間に面して設置された複数の導電端子と、前記筐体の開口に突出することで当該開口の直径を細く規制するための進退部材と、を備えたことを特徴とする。
【発明の効果】
【００１０】
本発明に係る多極ジャック及び多極プラグによれば、実用性及び既存の多極プラグとの互換性を確保しながら極数を増加させることが可能である。
【発明を実施するための最良の形態】
【００１１】
以下、図面を参照しながら、本発明の実施形態について詳細に説明する。本実施形態に係る多極プラグとして、５極の超小型単頭プラグ（φ2.5mm）、多極ジャックとして、この５極超小型単頭プラグと接続する５極ジャックを例に挙げて説明する。【００１２】
まず、図１及び図２を参照しながら、本実施形態に係る多極プラグの構成について説明する。図１は、本実施形態に係る５極プラグの斜視図、図２は、本実施形態に係る５極プラグの断面斜視図である。【００１３】
図１及び図２に示すように、５極プラグ１０は、導電性金属からなる第１乃至第５電極１１ａ〜１１ｅと、各電極１１間を絶縁するための絶縁体からなる絶縁カラー１２ａ〜１２ｄとから構成されている。また、これらの電極１１及び絶縁カラー１２により、ジャック側に差し込まれる部分である棒状の芯棒部１４と、芯棒部１４の根本に位置する鍔状に出っ張ったフランジ部（つまみ）１５と、各電極１１に配線が接続されるリード部１６とが形成されている。【００１４】
棒状の第１電極（チップ）１１ａは、芯棒部１４の中心に位置し、その先端において芯棒部１４の表面に露出しており、この露出部がジャック側の端子と導電接触する。第１電極１１ａの外側には、絶縁層としての第１絶縁カラー１２ａを挟んで、筒状の第２電極（リング）１１ｂが配置されている。そして、芯棒部１４の外側に向けて、同様に、第２絶縁カラー１２ｂ、第３電極（リング）１１ｃ、第３絶縁カラー１２ｃ、第４電極（リング）１１ｄ、第４絶縁カラー１２ｄ、第５電極（リング）１１ｅが順次設置されている。【００１５】
このようにして、同軸上に順次設置された電極１１及び絶縁カラー１２は、芯棒部１４の先端側からフランジ部１５に向けて、第１電極１１ａ、第１絶縁カラー１２ａ、第２電極１１ｂ、第２絶縁カラー１２ｂ、第３電極１１ｃ、第３絶縁カラー１２ｃ、第４電極１１ｄ、第４絶縁カラー１２ｄ、第５電極１１ｅが、順次表面に輪帯状に露出している。この各電極１１の芯棒部１４における露出表面が、後述する５極ジャックの導電端子と導電接触する。【００１６】
また、フランジ部１５では、第５電極１１ｅの一部が、輪帯状に突出して鍔部を形成している。このフランジ部１５の芯棒部１４側の側面１５ａが基準面であり、芯棒部１４の各電極１１の露出位置を規定する際の基準となる。【００１７】
リード部１６においても、フランジ部１５側からリード部１６先端に向かって、第５電極１１ｅ、第４絶縁カラー１２ｄ、第４電極１１ｄ、第３絶縁カラー１２ｃ、第３電極１１ｃ、第２絶縁カラー１２ｂ、第２電極１１ｂ、第１絶縁カラー１２ａ、第１電極１１ａが順次表面に露出している。そして、リード部１６においては、リード線が各電極１１の露出箇所に接続されることになる。【００１８】
ここで、本実施形態に係る５極プラグ１０の最も根元側（フランジ部１５側）のフランジ部１５に隣接する部分において芯棒部１４の表面に露出する第５電極１１ｅは、他の電極１１ａ〜１１ｄと比較して、芯棒部１４での外径が太くなっている。芯棒部１４における他の電極１１ａ〜１１ｄの外径はφ2.5mmであるが、第５電極１１ｅの外径はφ3.0mmであり、第１〜第４電極１１ａ〜１１ｄの外表面よりも、第５電極１１ｅの外表面は0.25mm外側に張り出している。【００１９】
なお、第５電極１１ｅの芯棒部１４における露出表面の先端側部分には、φ2.5mmの第４絶縁カラー１２ｄの外表面からφ3.0mmの第５電極１１ｅの外表面が滑らかにつながるように、先端側から根元側に向けて徐々に径が大きくなる案内用テーパ部１１ｅ−１が形成されている。もちろん、互いに外径の異なる、第５電極１１ｅの芯棒部１４における外表面と、第４電極１１ｄの外表面とを滑らかに接続するためのテーパ部は、第５電極１１ｅに形成するのではなく、第４電極１１ｄに形成しても良いし、第４絶縁カラー１２ｄに形成しても良い。【００２０】
このように、第５電極１１ｅを外側に張り出せば、５番目の電極を増やしても、第１〜第４電極１１ａ〜１１ｄを薄くする必要がほとんどなく、４極プラグの場合の電極や絶縁カラーと同様の厚みを確保することができる。よって、本実施形態によれば、極数を増やしても、製造が困難になることもなく、実用性に耐えうる構造上の強度を確保することもできる。【００２１】
続いて、図３及び図４を参照して、本実施形態に係る多極ジャックの構成について説明する。図３は、本実施形態に係る５極ジャックの斜視図、図４は、本実施形態に係る５極ジャックの一部透視して示した斜視図である。【００２２】
図３及び図４に示すように、５極ジャック２０は、合成樹脂からなる絶縁性の筐体２１と、多極プラグ１０の各電極１１と導電接触を行うように、筐体２１の所定の場所に設置された第１〜第５導電端子２３ａ〜２３ｅと、プラグが挿入されたことを検知するために電極１１と接触するスイッチ用端子２４ａ，２４ｂと、第４導電端子２３ｄに取り付けられてジャックの入口である開口部分に位置する進退部材（ストッパー）２５と、を備えている。【００２３】
筐体２１内には、多極プラグ１０の芯棒部１４を収容するためのプラグ収容空間が形成されていると共に、筐体２１の一方の側面には、プラグ収容空間へのプラグの入口である開口が開けられており、この入口から多極プラグ１０の芯棒部１４が筐体内２１に挿入される。筐体２１の開口を形成する開口部２１ａの内径は、本実施形態に係る５極プラグ１０の大径の第５電極１１ｅの部分も挿入できるように、φ3.0mmよりも0.1mm大きく、φ3.1mmに形成されている。【００２４】
導電端子２３及びスイッチ用端子２４は、電極１１との接触部がプラグ収容空間に面するように設置されている。図４に示すように、プラグ収容空間の一方の側には、第５導電端子２３ｅ、スイッチ用端子２４ｂ及び第２導電端子２３ｂが、開口側から奥部に向かって順次設置されている。また、他方の側には、第４導電端子２３ｄ、第３導電端子２３ｃ、スイッチ用端子２４ａ及び第１導電端子２３ａが、開口側から奥部に向かって順次設置されている。【００２５】
また、導電端子２３及びスイッチ用端子２４は、導電性金属から構成されており、各導電端子２３及びスイッチ用端子２４は、プラグとジャックを接続した際に、弾性力により各電極１１に圧接するような形状に成形されている。【００２６】
具体的には、各導電端子２３ａ〜２３ｅ及びスイッチ用端子２４ａ，２４ｂの接触部が、多極プラグ１０の未挿入時において多極プラグ１０の芯棒部１４の収容空間に若干突出して位置している。そして、多極プラグ１０が挿入された際に、各導電端子２３ａ〜２３ｅ及びスイッチ用端子２４ａ，２４ｂの接触部が各電極１１ａ〜１１ｅによって押し戻され、各端子２３，２４が変形することで、軸に垂直な方向の弾性力が発生し、接触部が各電極１１ａ〜１１ｅに圧接する。このように、導電端子２３及びスイッチ用端子２４の接触部がプラグ側の電極１１に圧接していれば、プラグやジャックに多少の外力が加わっても、導電接触を良好に維持可能である【００２７】
なお、本実施形態では、第５電極１１ｅの外径が他の電極１１ａ〜１１ｄの外径よりも半径で0.25mm大きいので、第５電極１１ｅと導電接触する第５導電端子２３ｅは、その接触部が他の導電端子２３ａ〜２３ｄの接触部よりも0.25mm外側に位置するように構成されている。【００２８】
スイッチ用端子２４ａ，２４ｂは、５極ジャック２０の収容空間内に多極プラグ１０の芯棒部１４が挿入されたことを検出するための端子である。例えば、スイッチ用端子２４ａが電極１１と接触すると、セット（装置）側のスピーカーＬを停止させ、スイッチ用端子２４ｂが電極１１と接触すると、セット側のスピーカーＲを停止させる、といった制御のために使用される。【００２９】
続いて、進退部材２５の構成について図面を参照しながら詳細に説明する。図５は、本実施形態に係る第４導電端子と進退部材とを拡大して示す斜視図であり、図５（ａ）は、５極ジャック２０の内側（プラグ収容空間側）から第４導電端子２３ｄと進退部材２５とを見た図、図５（ｂ）は、５極ジャック２０の外側から第４導電端子２３ｄと進退部材２５とを見た図である。【００３０】
進退部材２５は、樹脂成型により製造される。もちろん、その他の材料で作成しても良いが、本実施形態では、プラグとジャックと接続した状態において、第４導電端子２３ｄに固定・設置される進退部材２５が第５電極１１ｅと接触することになるため、進退部材２５と第４導電端子２３ｄとを絶縁しておく必要がある。【００３１】
図５に示すように、進退部材２５は、第４導電端子２３ｄの先端に固定されている。第４導電端子２３ｄは、固定部２３ｄ−１が筐体２１に固定されており、湾曲部２３ｄ−２，２３ｄ−３，２３ｄ−４を介して、先端に向かって導電性金属板が延在している。この３つの湾曲部２３ｄ−２，２３ｄ−３，２３ｄ−４において、第４導電端子２３ｄは大きく弾性変形可能であり、弾性変形により弾性力が生じる。【００３２】
進退部材２５は、筐体２１の開口部分において、その入口側側面２５ｂが筐体２１の開口側の端部よりも0.1mm内側（奥側）に後退した面に位置するように設置されている。また、進退部材２５は、筐体２１の開口に突出して位置しており、その内側面２５ａは、筐体２１の開口の直径をさらに細く規制している。具体的には、進退部材２５の内側面２５ａの円弧の直径は2.6mmであり、進退部材２５が開口部分に突出した状態では、2.6mmよりも細い直径のピンでなければ、進退部材２５によって規制された開口を通過することができない。【００３３】
もちろん、これらのサイズは上記サイズに限定されるものでなく、同様の作用効果を奏することができる範囲で適宜サイズ変更可能である。例えば、進退部材２５は、その入口側側面２５ｂと筐体２１の開口端部が同一面上であっても良い。また、進退部材２５は、開口部分に突出した状態で、φ2.5mmの芯棒部１４に開口を通過させることができるような位置、大きさであれば良い。【００３４】
一方、進退部材２５は、湾曲部２３ｄ−２，２３ｄ−３，２３ｄ−４において大きく変形可能な第４導電端子２３ｄの先端に固定されており、多極ジャック２０（多極プラグ１０）の軸方向にはほとんど移動しないが、軸方向に垂直な方向には容易に移動可能に構成されている。よって、進退部材２５は、内側から押されれば、押し戻されて開口の外側へ後退し、押されなくなれば、弾性力により開口部分に突出した位置に戻る。【００３５】
通常、ジャックとプラグを接続する場合、プラグのフランジ部の基準面が、ジャックの開口端面に当接することを前提に、ジャックの導電端子と対応するプラグの電極とが導電接触するように、ジャック側の導電端子が所定の位置に設置されている。ところが、本実施形態では、φ3.0mmと大径の第５電極１１ｅをジャック内に収容するために、筐体２１の開口の径を3.0mmよりも大きく3.1mmに形成している。このため、既存のφ2.5の超小型単頭プラグで、フランジ部が3.1mmよりも小さい超小型単頭プラグを５極ジャック２０と接続しようとした場合、筐体２１の開口部２１ａを通過してフランジ部がプラグ収容空間まで入り込んでしまい、対応する電極１１と導電端子２３が導電接触できないだけでなく、５極プラグ１０や５極ジャック２０が破損してしまうおそれがある。【００３６】
これに対して、本実施形態では、５極ジャック２０の筐体２１の開口の直径をさらに細く規制するための進退部材２５を設置してあるので、φ3.1mmよりも細いフランジ部を有するプラグであっても、フランジ部の基準面が進退部材２５に当接して、それ以上奥に入ることがないので、電極１１と導電端子２３との導電接触を確保できる。【００３７】
そして、本実施形態に係る５極プラグ１０が挿入された場合には、φ2.5mmの第１〜第４電極１１ａ〜１１ｄまでは、そのまま進退部材２５を後退させることなく、芯棒部１４をジャック内に挿し込むことができる。第５電極１１ｅが開口部２１ａによって形成された開口部分に差し掛かると、芯棒部１４の直径がテーパ部１１ｅ−１において段々と大きくなるため、テーパ部１１ｅ−１表面が進退部材２５に接触する。【００３８】
接触後、そのまま５極プラグ１０を挿入していくと、案内用のテーパ部１１ｅ−１の直径が大きくなるに従って、進退部材２５が押圧されて徐々に外側へ後退していく。そして、５極プラグ１０の基準面１５ａが筐体２１の開口部２１ａの外側の開口端面に接触したところで、５極プラグ１０と５極ジャック２０との接続が終了する。このとき、進退部材２５は、第５電極１１ｅのφ3.0mmの部分の表面に押圧されて後退した状態となっている。【００３９】
なお、進退部材２５と接触部２３ｄ−５の間には、湾曲部２３ｄ−４が介在しているため、進退部材２５が後退して第４電極２３ｄが変形しても、接触部２３ｄ−５の位置の変動は最小限であり、第４導電端子２３ｄと第４電極１１ｄとの導電接触には影響を与えない。【００４０】
続いて、５極プラグ１０と５極ジャック２０との接続状態について図６及び図７を参照しながら説明する。図６は、本実施形態に係る５極プラグと５極ジャックとが接続された状態を示す断面図であり、図７は、本実施形態に係る５極プラグと５極ジャックが接続された状態を下方側から見た図である。なお、図７では、見易いように、５極ジャック１０、導電端子２３、スイッチ用端子２４及び進退部材２５のみを示している。【００４１】
図６及び図７に示すように、５極プラグ１０と５極ジャック２０とを接続した状態では、第１電極１１ａが第１導電端子２３ａと、第２電極１１ｂが第２導電端子２３ｂと、第３電極１１ｃが第３導電端子２３ｃと、第４電極１１ｄが第４導電端子２３ｄと、第５電極１１ｅが第５導電端子２３ｅと接触している。【００４２】
また、５極プラグ１０の第５電極１１ｅの芯棒部１４における外径は、φ3.0mmと太くなっているので、図７に示すように、進退部材２５が芯棒部１４によって押圧されて、外側に後退している。なお、フランジ部１５の基準面１５ａは、筐体２１の開口部２１ａの開口端面に接触している。【００４３】
次に、フランジ部の直径が細い既存のφ2.5の超小型単頭プラグ５０が５極ジャック２０に挿入された場合について、図８を参照しながら説明する。図８は、本実施形態に係る５極ジャックと既存の３極超小型単頭プラグとが接続された状態を下方側から見た図である。【００４４】
図８に示すように、３極プラグ５０と５極ジャック２０とを接続した状態では、第１電極５１ａが第１導電端子２３ａと、第２電極５１ｂが第２導電端子２３ｂと、第３電極５１ｃが第３〜第５導電端子２３ｃ〜２３ｅと接触している。【００４５】
ここで、芯棒部における最も根元側の第３電極５１ｃの外径は、他の電極５１ａ，５１ｂと同様にφ2.5mmであるため、接続する際には、３極プラグ５０の芯棒部は、そのまま多極ジャック２０の開口部分からプラグ収容空間内に入っていく。一方、進退部材２５は３極プラグ５０の芯棒部によって押圧されることなく、ジャックの開口部分に突出したままである。【００４６】
そして、３極プラグ５０のフランジ部５０が開口部分まできても、フランジ部５０の外径はφ3.0mmと筐体２１の開口部２１ａの内径3.1mmよりも細いため、フランジ部が開口部分内に入ってしまうが、進退部材２５によって規制される開口径φ2.6mmよりもフランジ部５０の外径が太いため、図８に示すように、基準面５５ａが進退部材２５の端面に接触する。【００４７】
このように、３極プラグ５０の基準面５５ａが進退部材２５に接触すると、ジャック内へのプラグの進入が停止し、接続状態となる。よって、本実施形態によれば、進退部材２５の存在により、フランジ部の細い既存の多極プラグであっても、ジャックの奥まで入り過ぎることを阻止できる。【００４８】
以上、本実施形態について詳細に説明したが、本実施形態によれば、芯棒部における最も根元側の電極の外径を太くすることで、他の電極や絶縁樹脂の肉厚にあまり影響を与えることなく電極数を増やすことが可能となった。特に、φ2.5mmの細い多極ジャックの場合には、芯棒部を５極化すれば、各電極や絶縁カラーの肉厚が小さくなり、サンプルは製造できても量産化は事実上不可能であった。これに対して、本実施形態に係る５極プラグであれば、十分に量産可能な芯棒部を５極化した５極プラグを提供することができる。【００４９】
また、本実施形態では、５極プラグの芯棒部の根元を太くしたため、５極ジャックの開口部を大きくする必要がある。このため、既存の多極プラグとこの５極ジャックを接続しようとすると、フランジ部の細い既存の多極プラグであれば、フランジ部が大きくなった開口部を通過してしまい、ジャックの奥まで入り過ぎてしまう、といった問題が生じてしまう。【００５０】
これに対して、本実施形態によれば、５極ジャックの開口部に突出して開口径を細く規制する進退部材であって、内側から押されることで外側に後退する進退部材を設置することで、フランジ部の細い既存の多極プラグが奥まで入り過ぎてしまうといったことを防止することができる。【００５１】
なお、本実施形態の多極プラグは、径の太い最も根元側の大径電極の外周面と、この大径電極に先端側に隣接する電極の外周面とを、案内用テーパ部によって滑らかにつながっている。プラグのジャックへの挿入に伴って、このテーパ部が、進退部材を内側から外側へ押圧することで、進退部材を外側へ後退させている。【００５２】
以上、本発明の実施形態について詳細に説明したが、本発明の実施の形態は、上記実施形態に限定されるものではなく、本発明の主旨を逸脱しない範囲内で種々の変形が可能であることはいうまでもない。例えば、本実施形態では、５極プラグと５極ジャックとから回転コネクタを構成したが、プラグ及びジャックの極数は適宜変更できるのは言うまでもない【００５３】
また、本実施形態では、φ2.5mmの多極プラグ及び多極ジャックを例に挙げて説明したが、例えば、φ3.5mm、φ6.3mm等、他のサイズのプラグ及びジャックにも適用できることは言うまでもない。【００５４】
また、本実施形態では、芯棒部における最も根元側の電極を、他の電極よりも直径で0.5mm太くしているが、少なくとも直径で0.2mm以上（より好ましくは0.4mm以上）太くすれば、他の電極や絶縁カラーの厚みを確保した上での極数の増加が可能である。【００５５】
また、本実施形態では、多極ジャックを薄く小型化するために、進退部材は一箇所に設置しただけであるが、両側に２つ設置しても良いし、それ以上儲けても良い。また、進退部材の大きさも適宜変更可能である。また、本実施形態では、第４導電端子の弾性力を利用するために、進退部材を第４導電端子に固定しているが、進退部材を他の導電端子、例えば、第５導電端子に固定しても良いし、進退部材自体に弾性力を持たせて、進退部材を単独でジャックの筐体に固定するように構成しても良い。【００５６】
また、本実施形態では、進退部材を弾性力により筐体の開口部分に突出するように付勢しているが、手動で進退部材を進退させるように構成しても良い。すなわち、進退部材を筐体の開口部分に突出して開口径を規制する位置と、開口部分から後退した位置との間を移動自在にスライド可能に構成する。フランジ部が細くて筐体の開口部分を通過してしまうプラグを接続する場合には、使用者が手動で進退部材を開口部分に突出させて開口径を細く規制するようにすれば良い。
【図面の簡単な説明】
【００５７】
【図１】図１は、本実施形態に係る５極プラグの斜視図である。
【図２】図２は、本実施形態に係る５極プラグの断面斜視図である。
【図３】図３は、本実施形態に係る５極ジャックの斜視図である。
【図４】図４は、本実施形態に係る５極ジャックの一部透視した斜視図である。
【図５】図５は、本実施形態に係る第４導電端子と進退部材とを拡大して示す斜視図である。
【図６】図６は、本実施形態に係る５極プラグと５極ジャックとが接続された状態を示す断面図である。
【図７】図７は、本実施形態に係る５極プラグと５極ジャックが接続された状態を下方側から見た図である。
【図８】図８は、本実施形態に係る５極ジャックと既存の３極超小型単頭プラグとが接続された状態を下方側から見た図である。
【符号の説明】
【００５８】
１０            ５極プラグ
１１            電極
１２            絶縁カラー
１４            芯棒部
１５            フランジ部
１６            リード部
２０            ５極ジャック
２１            筐体
２３            導電端子
２４            スイッチ用端子
２５            進退部材（ストッパー）
【図１】
2009072166.tif 000003
【図２】
2009072166.tif 000004
【図３】
2009072166.tif 000005
【図４】
2009072166.tif 000006
【図５】
2009072166.tif 000007
【図６】
2009072166.tif 000008
【図７】
2009072166.tif 000009
【図８】
2009072166.tif 000010
【国際調査報告】
2009072166.tif 000011
2009072166.tif 000012
2009072166.tif 000013
2009072166.tif 000014